(57)【要約】【課題】  新しい遊びの要素を有する音楽再生装置を提供する。【解決手段】  線状に配設された複数のＬＥＤ５６を有する表示部５２を備え、それら複数のＬＥＤ５６が選択的に発光させられつつ前記表示部５２が振り動かされることにより、その振り動かされる軌跡上に残像効果による映像を表示させる映像表示装置５０を有し、演奏曲の歌詞文字映像８０をその演奏曲のテンポに基づいて前記映像表示装置５０により表示させる表示制御手段７４を有することから、その映像表示装置５０を前記演奏曲のテンポに合わせて上手く振り動かすことでその演奏曲の歌詞文字映像８０を視認できる一方、上手く振り動かすことができなければ斯かる歌詞文字映像８０を好適には視認できないという遊びの要素を付加することができる。【選択図】  図４
2006267711.tif 000002
【特許請求の範囲】
【請求項１】
多数の演奏曲のうちから選択される所定の演奏曲を出力させる音楽再生装置であって、
線状に配設された複数の発光素子を有する表示部を備え、それら複数の発光素子が選択的に発光させられつつ前記表示部が振り動かされることにより、その振り動かされる軌跡上に残像効果による映像を表示させる映像表示装置を有し、
前記演奏曲のテンポに基づいて前記映像表示装置により所定の映像を表示させる表示制御手段を有することを特徴とする音楽再生装置。
【請求項２】
前記表示制御手段は、前記演奏曲の歌詞文字映像を該演奏曲のテンポに基づいて前記映像表示装置により表示させるものである請求項１の音楽再生装置。
【請求項３】
前記表示制御手段は、前記表示部が振り動かされる周期が前記演奏曲の拍子と同期する場合に前記映像が最適に表示されるように制御するものである請求項１又は２の音楽再生装置。
【請求項４】
前記映像表示装置は、無線により情報を受信するための無線受信部を、前記音楽再生装置は、無線により情報を送信するための無線送信部をそれぞれ有するものであり、前記表示制御手段は、該無線送信部及び無線受信部を介して前記制御を行うものである請求項１から３の何れかの音楽再生装置。
【請求項５】
前記音楽再生装置は、前記演奏曲を出力するための演奏制御手段を有する携帯電話機である請求項１から４の何れかの音楽再生装置。
【請求項６】
前記音楽再生装置は、前記映像表示装置及びその表示部を一体的に備えたものであり、該音楽再生装置自体が振り動かされることにより、その振り動かされる軌跡上に前記映像を表示させるものである請求項１から３の何れかの音楽再生装置。
【発明の詳細な説明】
【技術分野】
【０００１】
本発明は、多数の演奏曲のうちから選択される所定の演奏曲を出力させる音楽再生装置に関し、特に、新しい遊びの機能を付加する改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
ところで、線状に配設された複数の発光素子を有する表示部を備え、それら複数の発光素子が選択的に発光させられつつ前記表示部が振り動かされることにより、その振り動かされる軌跡上に残像効果による映像を表示させる映像表示装置が提案されている。例えば、特許文献１に記載された棒状表示体がそれである。この技術によれば、ビットマップ化した情報をメモリ等に記憶しておき、その情報を随時読み出して上記表示部によりビットマップの１ライン分ずつ表示させていくことで、その表示部の往復軌跡に二次元的な映像を視認可能に浮かび上がらせることができる。
【０００４】
【特許文献１】特開昭６３−１１６３００号公報
【０００５】
しかし、前記従来の映像表示装置は、一般に利用者が手等に持って振り動かすことにより残像効果による映像を表示させるものであることから、その振り方によっては斯かる映像を好適に表示できないという不具合を有しており、前記映像表示装置を振り動かす速度乃至周期とその映像表示装置による映像の出力とが上手く同期してはじめてその映像が視認可能となるものであった。
【発明の開示】
【発明が解決しようとする課題】
【０００６】
本発明者は、新しい遊びの要素を有する音楽再生装置を開発すべく鋭意考案を重ねる中で、斯かる映像表示装置の不具合に逆説的に着目した。すなわち、演奏曲の出力と同期して表示されることが前提である歌詞文字映像等を前記映像表示装置により表示させることにより、その映像表示装置を振り動かす動作を遊びの要素として取り入れることを発想するに至った。
【０００７】
本発明は、以上の事情を背景として為されたものであり、その目的とするところは、新しい遊びの要素を有する音楽再生装置を提供することにある。
【課題を解決するための手段】
【０００８】
斯かる目的を達成するために、本発明の要旨とするところは、多数の演奏曲のうちから選択される所定の演奏曲を出力させる音楽再生装置であって、線状に配設された複数の発光素子を有する表示部を備え、それら複数の発光素子が選択的に発光させられつつ前記表示部が振り動かされることにより、その振り動かされる軌跡上に残像効果による映像を表示させる映像表示装置を有し、前記演奏曲のテンポに基づいて前記映像表示装置により所定の映像を表示させる表示制御手段を有することを特徴とするものである。
【発明の効果】
【０００９】
このように、本発明によれば、線状に配設された複数の発光素子を有する表示部を備え、それら複数の発光素子が選択的に発光させられつつ前記表示部が振り動かされることにより、その振り動かされる軌跡上に残像効果による映像を表示させる映像表示装置を有し、前記演奏曲のテンポに基づいて前記映像表示装置により所定の映像を表示させる表示制御手段を有することから、その映像表示装置を前記演奏曲のテンポに合わせて上手く振り動かすことで前記映像を視認できる一方、上手く振り動かすことができなければ斯かる映像を好適には視認できないという遊びの要素を付加することができる。すなわち、新しい遊びの要素を有する音楽再生装置を提供することができる。
【００１０】
ここで、好適には、前記表示制御手段は、前記演奏曲の歌詞文字映像をその演奏曲のテンポに基づいて前記映像表示装置により表示させるものである。このようにすれば、前記映像表示装置を前記演奏曲のテンポに合わせて上手く振り動かすことでその演奏曲の歌詞文字映像を視認できる一方、上手く振り動かすことができなければ斯かる歌詞文字映像を好適には視認できないという実用的な遊びの要素を付加することができるという利点がある。
【００１１】
また、好適には、前記表示制御手段は、前記表示部が振り動かされる周期が前記演奏曲の拍子と同期する場合に前記映像が最適に表示されるように制御するものである。このようにすれば、前記映像表示装置をあたかも指揮棒のように振り動かすことで前記映像を最適に表示させることができ、娯楽性の高い遊びの要素を付加することができるという利点がある。
【００１２】
また、好適には、前記映像表示装置は、無線により情報を受信するための無線受信部を、前記音楽再生装置は、無線により情報を送信するための無線送信部をそれぞれ有するものであり、前記表示制御手段は、その無線送信部及び無線受信部を介して前記制御を行うものである。このようにすれば、無線接続により前記音楽再生装置との間で通信を行うことで、前記映像表示装置を振り動かし易くなるという利点がある。
【００１３】
また、好適には、前記音楽再生装置は、前記演奏曲を出力するための演奏制御手段を有する携帯電話機である。このようにすれば、一般に表示部が小さく、とりわけ複数人にて演奏を行う場合には歌詞文字映像が見難いとされる携帯電話機を用いた演奏において、利用者が複数人であっても十分に視認可能な歌詞文字映像を表示させ得る実用的な遊びの要素を付加することができるという利点がある。
【００１４】
また、好適には、前記音楽再生装置は、前記映像表示装置及びその表示部を一体的に備えたものであり、その音楽再生装置自体が振り動かされることにより、その振り動かされる軌跡上に前記映像を表示させるものである。このようにすれば、小型で携帯性に優れると共に、利用者が複数人であっても十分に視認可能な歌詞文字映像を表示させ得るまったく新しい音楽再生装置を提供できるという利点がある。
【００１５】
以下、本発明の好適な実施例を図面に基づいて詳細に説明する。
【実施例１】
【００１６】
図１は、本発明の音楽再生装置の一実施例であるカラオケ装置１０の構成を説明するブロック線図である。この図１に示すように、本実施例のカラオケ装置１０は、ＣＲＴ（Cathode-ray Tube）１２と、映像情報デコーダ１４と、ビデオミキサ１６と、アンプミキサ１８と、スピーカ２０と、音声入力装置であるマイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン装置４８をはじめとする入力装置からのリモコン信号を受信するためのリモコン受信部４２と、後述する映像表示装置５０に無線により情報を送信するための無線送信部４４とを、備えて構成されている。
【００１７】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン装置４８等の操作により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、通常のカラオケ演奏に際しては歌詞情報に基づいて歌詞文字映像を生成して上記ＣＲＴコントローラ３６へ送ったり、選曲時には曲名文字映像を生成して上記ＣＲＴコントローラ３６へ送ったり、上記映像情報デコーダ１４を制御して所定の背景映像を再生させる等の基本的な制御を実行する。また、上記映像表示装置５０を用いたカラオケ演奏に際しては後述する残像歌詞表示カラオケ演奏制御を実行する。
【００１８】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン装置４８が備えられており、前記リモコン受信部４２は、そのリモコン装置４８から送信されるリモコン信号を受信して前記ＣＰＵ２６へ供給する。また、前記無線送信部４４は、無線ＬＡＮ通信或いはブルートゥース通信等の無線通信により前記映像表示装置５０へ後述するビットマップ化された表示データを示す制御指令等を送信するというように、電波を介して前記映像表示装置５０への情報送信を行う。なお、前記リモコン装置４８や映像表示装置５０等の端末は、前記カラオケ装置１０の備品として音楽再生装置の一部を構成するものである。
【００１９】
前記映像情報デコーダ１４は、所定の映像情報に基づいてその映像情報に対応する映像を再生（デコード）する映像再生装置であり、例えば、利用者が歌詞を参照しながら歌を歌う際に前記ハードディスク３２に記憶された背景映像情報に基づいて所定の背景映像を再生する。この背景映像情報は、例えば、ＭＰＥＧ（Moving Picture Experts Group）形式のデータであり、そのＭＰＥＧデータに基づいて前記映像情報デコーダ１４により再生された背景映像は、前記ビデオミキサ１６へ送られる。前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記映像情報デコーダ１４により再生される背景映像とを合成して前記ＣＲＴ１２に表示させる映像合成装置である。
【００２０】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式で圧縮されたＭＩＤＩデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００２１】
前記カラオケ装置１０のハードディスク３２には、カラオケ演奏曲を出力させるための多数のカラオケ情報を記憶するカラオケデータベース６８をはじめとする各種データベースが設けられている。このカラオケ情報は、例えば、カラオケ演奏曲毎の曲名及び歌手名等を含むタイトル情報、ＭＩＤＩデータである演奏情報、及びテキストデータである歌詞情報等を含むものであり、インデックスとしてそれぞれ固有の選曲番号を有している。カラオケボックス等の店舗にそれぞれ備えられた前記カラオケ装置１０は、前記モデム３４を介して公衆電話回線等の通信回線４６に接続されており、そのカラオケ装置１０によって常に新しい曲が演奏可能とされるように、随時新たなカラオケ情報等が図示しないカラオケサービス提供会社のセンタ装置から上記通信回線４６を介して配信され、前記ハードディスク３２のカラオケデータベース６８等に記憶されるようになっている。すなわち、前記カラオケ装置１０は、所定の通信回線を介してカラオケ情報をはじめとするコンテンツを取得する通信カラオケ装置である。
【００２２】
図２は、前記映像表示装置５０の外観を説明する図である。この図２に示すように、前記映像表示装置５０は、残像効果による映像を表示させるための表示部５２と、その表示部５２と一体的に設けられた把持部５４とを、備えて長手状（棒状）に構成されたものである。上記表示部５２には、複数（図２では２０個）の発光素子であるＬＥＤ（light emitting diode）５６ａ、５６ｂ、５６ｃ、・・・、５６ｔ（以下、特に区別しない場合には単にＬＥＤ５６と称する）が、発光を視認できるようにそれぞれの一部が外部に露出した状態（或いは、透光性の材料に被覆された状態）で、前記映像表示装置５０の長手方向に直線状に配設されている。このＬＥＤ５６としては赤や緑等の有色光を発するものが好適に用いられる。また、発光素子として有色電球を用いる態様も考えられる。
【００２３】
図３は、前記映像表示装置５０の構成を説明するブロック線図である。この図３に示すように、前記映像表示装置５０は、ＣＰＵ５８、ＲＯＭ６０、及びＲＡＭ６２を有しており、そのＣＰＵ５８によりＲＡＭ６２の一時記憶機能を利用しつつＲＯＭ６０に予め記憶された所定のプログラムに基づいて電子情報を処理・制御する所謂マイクロコンピュータシステムを備えている。また、上記複数のＬＥＤ５６による発光を制御するためのドライバである発光制御部６４を有している。この発光制御部６４は、上記複数のＬＥＤ５６を選択的に発光させたり、各ＬＥＤ５６による発光の輝度を制御したりすることにより、前記表示部５２による一次元的（直線的）な映像を制御し、延いてはその表示部５２が振り動かされることにより、その振り動かされる軌跡上に残像効果により表示される二次元的（平面的）な映像を制御する映像表示制御部である。また、前記映像表示装置５０には、前記カラオケ装置１０の無線送信部４４から無線により送信される情報を受信するための無線受信部６６が設けられており、上記発光制御部６４は、この無線受信部６６により受信されるビットマップ化された表示データを示す制御指令等に基づいて上記複数のＬＥＤ５６による発光を制御する。
【００２４】
図４は、前記カラオケ装置１０のＣＰＵ２６に備えられた制御機能の要部を説明する機能ブロック線図である。この図４に示す演奏制御手段７０は、前記リモコン装置４８等の操作により所定の演奏曲が選曲され、その演奏曲の演奏順となった場合において、前記カラオケデータベース６８からその演奏曲に対応するカラオケ情報を読み出し、そのカラオケ情報に含まれる演奏情報に基づいて演奏曲の出力を制御する。具体的には、斯かる演奏情報に基づいて前記シンセサイザ４０により音楽情報（演奏音）を再生させ、前記アンプミキサ１８を介して前記スピーカ２０により出力させる。
【００２５】
表示データ作成手段７２は、前記映像表示装置５０による映像表示に用いる表示データを前記カラオケ情報に含まれる歌詞情報に基づいて作成する。図５は、斯かる表示データの一例であるビットマップ化された文字情報を例示する図である。この図５に示すように、上記表示データ作成手段７２は、前記映像表示装置５０による映像表示に用いる表示データとして、前記歌詞情報を構成する個々の文字情報をドットの集合であるビットマップデータ７６とする。なお、このビットマップデータ７６の行数（図５では２０行）は前記ＬＥＤ５６の個数と同数とされ、列数（図５では２０列）は予め定められた所定数か、若しくは各演奏曲のテンポを反映した数とされる。なお、この図５では、簡単のために単一の文字「は」を表すビットマップデータ７６を例示しているが、上記表示データ作成手段７２は、複数の文字から成る文字列を表す表示データをも作成し得るものである。このようにして作成された表示データは、表示制御手段７４による制御指令に適用されて前記無線送信部４４を介して前記映像表示装置５０に送信される。
【００２６】
表示制御手段７４は、前記演奏曲の歌詞文字映像をその演奏曲のテンポに基づいて前記映像表示装置５０により表示させる。すなわち、前記映像表示装置５０による歌詞文字映像の表示を前記演奏曲のテンポに基づいて制御する。図６は、前記映像表示装置５０を振り動かすことにより映像が表示される様子を説明する図である。この図６に示すように、前記映像表示装置５０は、前記把持部５４において利用者の手７８等により把持された状態で、前記映像表示装置５０の長手方向と略垂直を成す方向に振り動かされることにより、その振り動かされる軌跡上に残像効果による歌詞文字映像８０を表示させる。この歌詞文字映像８０の表示に際して前記発光制御部６４は、上記表示制御手段７４から供給される制御指令に従い、前記複数のＬＥＤ５６を上記ビットマップデータ７６の各列に対応するように随時選択的に発光させていく。なお、前記映像表示装置５０は、斯かる制御指令を前記ＲＡＭ６２に記憶して随時読み出しつつ表示制御を行うものであってもよいし、前記発光制御部６４を介して即時的に（リアルタイムで）その制御指令を表示制御に反映させるものであってもよい。
【００２７】
図７は、図５に示すビットマップデータ７６に対応する制御指令を示している。この図７において、縦の並びが各ＬＥＤ５６ａ乃至５６ｔを、横の並びが発光タイミングｔ１乃至ｔ２０をそれぞれ表しており、前記発光制御部６４は、図７に示す発光タイミングｔ１乃至ｔ２０のそれぞれにおいて「○」で示されるものを発光させ、空白で示されるものを発光させない（若しくは輝度を低下させる）ように前記複数のＬＥＤ５６それぞれの発光を制御する。そのようにして複数のＬＥＤ５６が選択的に発光させられつつ前記表示部５２が振り動かされることにより、その振り動かされる軌跡上に残像効果による図６に示すような歌詞文字映像８０が視認可能に浮かび上がる。なお、この表示制御は、前記演奏制御手段７０による演奏曲の出力と同期して行われ、例えば、前記カラオケ情報に含まれる歌詞色替情報に基づいてその色替タイミングで各歌詞文字映像８０が表示されるように制御が実行される。
【００２８】
上記表示制御手段７４は、好適には、前記表示部５２が振り動かされる周期が前記演奏制御手段７０により出力される演奏曲の拍子と同期する場合に上記歌詞文字映像８０が最適に表示されるように制御する。例えば、前記演奏制御手段７０により出力される演奏曲の１拍子の間に前記表示部５２が図６に示す一方から他方（右から左）へ振り動かされた場合に上記歌詞文字映像８０が最適に表示されるように制御するものであり、例えば、図７に示す表示タイミングｔ１乃至ｔ２０を前記演奏制御手段７０により出力される演奏曲の１拍子に一致させることで斯かる制御を実現できる。この態様では、前記映像表示装置５０をあたかも指揮棒のように演奏曲の拍子に合わせて振り動かすことでその演奏曲の歌詞文字映像８０を最適に表示させられる一方、振り動かすタイミングがずれた場合には歌詞文字映像８０は好適には表示されない。すなわち、前記映像表示装置５０を持つ利用者が演奏曲のリズムを捉えてそのリズムに乗って振り動かすことが要求されることから、同期して出力される音楽に基づいて利用者の動作を判定する所謂音ゲーとしての楽しみをカラオケ演奏に付与することができる。ここで、前記表示制御手段７４による表示制御と同期して、前記ＣＲＴ１２に模範的な前記映像表示装置５０の振り動かし方を示すガイド映像を表示させてもよい。
【００２９】
図８は、前記カラオケ装置１０のＣＰＵ２６による残像歌詞表示カラオケ演奏制御について説明するフローチャートであり、所定の周期で繰り返し実行されるものである。
【００３０】
先ず、ステップ（以下、ステップを省略する）Ｓ１において、前記リモコン装置４８等の操作により所定の演奏曲が選曲され、その演奏曲の演奏順となる等してカラオケ演奏が開始されたか否かが判断される。このＳ１の判断が否定される場合には、それをもって本ルーチンが終了させられるが、Ｓ１の判断が肯定される場合には、Ｓ２において、前記カラオケデータベース６８から対応するカラオケ情報が読み出され、前記ＲＡＭ３０等に記憶される。次に、前記表示データ作成手段７２の動作に対応するＳ３において、前記映像表示装置５０による映像表示に用いられる表示データがＳ２にて読み出されたカラオケ情報に含まれる歌詞情報に基づいて作成される。次に、前記演奏制御手段７０の動作に対応するＳ４において、Ｓ２にて読み出されたカラオケ情報に含まれる演奏情報に基づいて前記シンセサイザ４０により演奏音が再生され、前記アンプミキサ１８を介して前記スピーカ２０から出力される。次に、前記表示制御手段７４の動作に対応するＳ５において、前記表示部５２が振り動かされる周期が出力中の演奏曲の拍子と同期する場合に前記歌詞文字映像８０が最適に表示されるように制御指令が生成され、前記無線送信部４４から前記映像表示装置５０へ送信される。次に、Ｓ６において、カラオケ演奏終了であるか否かが判断される。このＳ６の判断が否定される場合には、Ｓ３以下の処理が再び実行されるが、Ｓ６の判断が肯定される場合には、それをもって本ルーチンが終了させられる。
【００３１】
このように、本実施例によれば、線状に配設された複数の発光素子であるＬＥＤ５６を有する表示部５２を備え、それら複数のＬＥＤ５６が選択的に発光させられつつ前記表示部５２が振り動かされることにより、その振り動かされる軌跡上に残像効果による映像を表示させる映像表示装置５０を有し、前記演奏曲の歌詞文字映像８０をその演奏曲のテンポに基づいて前記映像表示装置５０により表示させる表示制御手段７４（Ｓ５）を有することから、その映像表示装置５０を前記演奏曲のテンポに合わせて上手く振り動かすことでその演奏曲の歌詞文字映像８０を視認できる一方、上手く振り動かすことができなければ斯かる歌詞文字映像８０を好適には視認できないという遊びの要素を付加することができる。すなわち、新しい遊びの要素を有するカラオケ装置１０を提供することができる。
【００３２】
また、前記表示制御手段７４は、前記表示部５２が振り動かされる周期が前記演奏曲の拍子と同期する場合に前記歌詞文字映像８０が最適に表示されるように制御するものであるため、前記映像表示装置５０をあたかも指揮棒のように振り動かすことで前記演奏曲の歌詞文字映像８０を最適に表示させることができ、娯楽性の高い遊びの要素を付加することができるという利点がある。
【００３３】
また、前記映像表示装置５０は、無線により情報を受信するための無線受信部６６を、前記カラオケ装置１０は、無線により情報を送信するための無線送信部４４をそれぞれ有するものであり、前記表示制御手段７４は、その無線送信部４４及び無線受信部６６を介して前記制御を行うものであるため、無線接続により前記カラオケ装置１０との間で通信を行うことで、前記映像表示装置５０を振り動かし易くなるという利点がある。
【００３４】
続いて、本発明の他の好適な実施例を図面に基づいて詳細に説明する。なお、以下の説明において、前述した実施例と共通する部分については同一の符号を付してその説明を省略する。
【実施例２】
【００３５】
図９は、本発明の音楽再生装置の一実施例である携帯電話機８４を用いたカラオケシステム８２を説明する図である。この図９に示すように、前記カラオケ装置１０と同様に多数の演奏曲のうちから選択される所定の演奏曲を出力させる演奏機能を有する携帯電話機８４に本発明が適用される態様も考えられる。
【００３６】
図１０は、上記携帯電話機８４の構成を説明するブロック線図である。この図１０に示す制御部８６は、予めＲＯＭ８８に記憶されたプログラムに従って入力信号を処理し、操作部９０からの入力に従って文字入力が実行されるように制御したり、その操作部９０から入力された電話番号に従って通信或いは通話チャンネルを成立させると共に相互の通信或いは通話が可能となるように制御したり、メールの作成及び送受信の制御を実行したりする。通話状態においては、アンテナ９４を介して送受信部９６に受けた通話信号等がモデム部９８を介して音声コーディック部１００においてデジタルコード信号から音声信号に変換され、アナログフロントエンド１０２によりスピーカ１０４が駆動されて音声が出力される。同時に、マイクロフォン１０６により音声から変換された音声信号が上記アナログフロントエンド１０２を介して上記音声コーディック部１００に送られてそこでデジタル信号に変換され、上記モデム部９８、送受信部９６、及びアンテナ９４を介して送信される。また、通信状態において、上記制御部８６は、上記操作部９０から入力された信号を通信先へ送信すると同時に、通信先から受信された信号を表示部９２に表示させる。また、フラッシュＲＯＭ等の記憶部１０８を備えており、その記憶部１０８には前記カラオケ情報を記憶するためのカラオケデータベース１１０が設けられている。また、前述したシンセサイザ４０と同様にそのカラオケデータベース１１０に記憶されたカラオケ情報に基づいて演奏曲を再生するメロディ発生器１１２を備えており、そのメロディ発生器１１２により音楽情報（演奏音）が発生させられ、上記スピーカ１０４が駆動されて演奏曲として出力される。また、前記映像表示装置５０に無線により情報を送信するための無線送信部１１４が設けられている。また、上記携帯電話機８４は、好適には、前記通信回線４６等によるインターネットに接続可能に構成されており、そのインターネットを介して図示しないカラオケサービス会社のセンタ装置から最新のカラオケ情報をダウンロードして上記カラオケデータベース１１０に記憶し得るようになっている。
【００３７】
上記制御部８６は、図４を用いて前述した演奏制御手段７０を機能的に備えている。すなわち、上記操作部９０等の操作により所定の演奏曲が選曲された場合、前記カラオケデータベース１１０からその演奏曲に対応するカラオケ情報を読み出し、そのカラオケ情報に含まれる演奏情報に基づいて演奏曲の出力を制御する。具体的には、斯かる演奏情報に基づいて前記メロディ発生器１１２により演奏音を再生させて前記スピーカ１０４により出力させる。また、上記制御部８６は、図４を用いて前述した表示データ作成手段７２及び表示制御手段７４を機能的に備えており、上述した演奏制御手段７０による演奏制御と同期して前記無線送信部１１４から前記映像表示装置５０へ制御指令を送信することにより、図５乃至図８を用いて前述した前記映像表示装置５０による残像効果による歌詞文字映像表示制御を実行する。
【００３８】
このように、本実施例は、前記演奏曲を出力するための演奏制御手段７０を有する携帯電話機８４を音楽再生装置として用いるものであるため、一般に表示部９２が小さく、とりわけ複数人にて演奏を行う場合には歌詞文字映像が見難いとされる携帯電話機８４を用いた演奏において、利用者が複数人であっても十分に視認可能な歌詞文字映像８０を表示させ得る実用的な遊びの要素を付加することができるという利点がある。
【実施例３】
【００３９】
図１１は、本発明の更に別の実施例である音楽再生装置１１６の外観を説明する図である。この図１１に示すように、本実施例の音楽再生装置１１６は、前記映像表示装置５０及びその表示部５２を一体的に備えたものであり、その音楽再生装置１１６自体が振り動かされることにより、その振り動かされる軌跡上に前記歌詞文字映像８０を表示させるものである。この音楽再生装置１１６は、前記カラオケ装置１０や携帯電話機８４と同様に多数の演奏曲のうちから選択される所定の演奏曲を出力させる演奏機能を有しており、斯かる演奏曲を選択する等の操作を行うための操作部１１８が、前記把持部５４を持って振り動かすのに邪魔にならない部位に設けられている。
【００４０】
図１２は、上記音楽再生装置１１６の構成を説明するブロック図である。この図１２に示すように、上記音楽再生装置１１６は、フラッシュＲＯＭ等の記憶部１２０を備えており、その記憶部１２２には前記カラオケ情報を記憶するためのカラオケデータベース１２２が設けられている。また、前述したシンセサイザ４０等と同様にそのカラオケデータベース１２２に記憶されたカラオケ情報に基づいて演奏曲を再生するメロディ発生器１２４と、そのメロディ発生器１２４により再生された演奏曲を出力するスピーカ１２６とが設けられている。また、図示しないセンタ装置との間で情報の通信を行うための情報通信部１２８が設けられており、その情報通信部１２８を介して斯かるセンタ装置から最新のカラオケ情報をダウンロードして上記カラオケデータベース１２２に記憶し得るようになっている。
【００４１】
前記音楽再生装置１１６のＣＰＵ５８は、図４を用いて前述した演奏制御手段７０を機能的に備えている。すなわち、上記操作部１１８等の操作により所定の演奏曲が選曲された場合、前記カラオケデータベース１２２からその演奏曲に対応するカラオケ情報を読み出し、そのカラオケ情報に含まれる演奏情報に基づいて演奏曲の出力を制御する。具体的には、斯かる演奏情報に基づいて前記メロディ発生器１２４により音楽情報（演奏音）を再生させて前記スピーカ１２６により出力させる。また、上記ＣＰＵ５８は、図４を用いて前述した表示データ作成手段７２及び表示制御手段７４を機能的に備えており、上述した演奏制御手段７０による演奏制御と同期して図５乃至図８を用いて前述した前記映像表示装置５０による残像効果による歌詞文字映像表示制御を実行する。
【００４２】
図１３は、前記音楽再生装置１１６に着脱式のＲＯＭカートリッジ１３０を使用可能とした構成を例示するブロック線図である。このＲＯＭカートリッジ１３０は、前記音楽再生装置１１６による演奏に用いられる情報として例えば所定の演奏曲のカラオケ情報を記憶するＲＯＭ１３２と、そのＲＯＭ１３２を前記音楽再生装置１１６に接続するための接続端子１３４とを、有するものであり、前記音楽再生装置１１６の側にもそのＲＯＭカートリッジ１３０を接続するための接続端子１３６が設けられている。このように、着脱式のＲＯＭカートリッジ１３０を用いる態様では、そのＲＯＭカートリッジ１３０を交換することで様々な演奏曲の演奏を楽しむことができ、とりわけ比較的小型で簡単な構成の音楽再生装置１１６においては実用に適している。また、斯かる態様においては、前記情報通信部１２８は、必ずしも設けられなくともよい。
【００４３】
このように、本実施例の音楽再生装置１１６は、前記映像表示装置５０及びその表示部５２を一体的に備えたものであり、その音楽再生装置１１６自体が振り動かされることにより、その振り動かされる軌跡上に前記歌詞文字映像８０を表示させるものであるため、小型で携帯性に優れると共に、利用者が複数人であっても十分に視認可能な歌詞文字映像８０を表示させ得るまったく新しい音楽再生装置１１６を提供できるという利点がある。
【００４４】
以上、本発明の好適な実施例を図面に基づいて詳細に説明したが、本発明はこれに限定されるものではなく、更に別の態様においても実施される。
【００４５】
例えば、前述した実施例において、前記表示データ作成手段７２は、前記カラオケ装置１０及び携帯電話機８４等の音楽再生装置に機能的に備えられたものであったが、本発明はこれに限定されるものではなく、前記映像表示装置５０のＣＰＵ５８に前記表示データ作成手段７２が機能的に備えられたものであってもよい。この態様では、前記カラオケ装置１０及び携帯電話機８４等の音楽再生装置から歌詞文字情報及びその歌詞文字情報を表示するタイミングデータが無線通信により前記映像表示装置５０へ送信され、その映像表示装置５０側で表示データが作成されて前記歌詞文字映像８０の表示制御に用いられる。また、前記映像表示装置５０がフラッシュＲＯＭ等の記憶装置を備え、その記憶装置に予め各文字に対応するビットマップデータが記憶されたものであってもよい。このようにすれば、逐一表示データを作成する必要がなく、処理を簡略化することができるという利点がある。
【００４６】
また、前述した実施例において、前記映像表示装置５０は専ら演奏曲の歌詞文字映像８０を表示させるために用いられるものであったが、他の映像を表示させるものであってもよく、例えば、前記カラオケ装置１０等により出力される演奏曲がアニメの主題歌である場合には、そのアニメのキャラクタを示す映像を表示させるために前記映像表示装置５０が用いられてもよい。この場合においても、前記表示部５２が振り動かされる周期が前記演奏曲の拍子と同期する場合にその映像が最適に表示されるように制御することで、子供にも楽しい遊びの要素を付加できるという利点がある。また、この場合には、通常のカラオケ演奏と同様に前記ＣＲＴ１２に前記演奏曲の歌詞文字映像を表示させるのが好ましい。
【００４７】
また、前述した実施例では、前記映像表示装置５０により歌詞文字映像８０を表示させるための制御指令を図７を用いて説明したが、この図７に示す制御指令は、図６に示すような歌詞文字映像８０を表示し得る最も簡単な制御指令を便宜上示したものであり、実際の制御ではより複雑な制御指令が用いられ得ることは言うまでもない。
【００４８】
その他、一々例示はしないが、本発明はその趣旨を逸脱しない範囲内において種々の変更が加えられて実施されるものである。
【図面の簡単な説明】
【００４９】
【図１】本発明の音楽再生装置の一実施例であるカラオケ装置の構成を説明するブロック線図である。
【図２】図１のカラオケ装置に備えられた映像表示装置の外観を説明する図である。
【図３】図２の映像表示装置の構成を説明するブロック線図である。
【図４】図１のカラオケ装置のＣＰＵに備えられた制御機能の要部を説明する機能ブロック線図である。
【図５】図２の映像表示装置による映像の表示制御に用いられる表示データの一例としてビットマップ化された文字情報を例示する図である。
【図６】図２の映像表示装置を振り動かすことにより残像効果により映像が表示される様子を説明する図である。
【図７】図５に示すビットマップデータに対応する制御指令を示す図である。
【図８】図１のカラオケ装置のＣＰＵによる残像歌詞表示カラオケ演奏制御について説明するフローチャートである。
【図９】図１０の携帯電話機を用いたカラオケシステムを説明する図である。
【図１０】本発明の音楽再生装置の他の実施例である携帯電話機の構成を説明するブロック線図である。
【図１１】本発明の更に別の実施例である音楽再生装置の外観を説明する図である。
【図１２】図１１の音楽再生装置の構成を説明するブロック線図である。
【図１３】図１１の音楽再生装置に着脱式のＲＯＭカートリッジを用いる構成を説明するブロック線図である。
【符号の説明】
【００５０】
１０：カラオケ装置（音楽再生装置）
４４、１１４：無線送信部
５０：映像表示装置
５２：表示部
５６：ＬＥＤ（発光素子）
６６：無線受信部
７０：演奏制御手段
７４：表示制御手段
８０：歌詞文字映像
８４：携帯電話機（音楽再生装置）
１１６：音楽再生装置
【図１】
2006267711.tif 000003
【図２】
2006267711.tif 000004
【図３】
2006267711.tif 000005
【図４】
2006267711.tif 000006
【図５】
2006267711.tif 000007
【図６】
2006267711.tif 000008
【図７】
2006267711.tif 000009
【図８】
2006267711.tif 000010
【図９】
2006267711.tif 000011
【図１０】
2006267711.tif 000012
【図１１】
2006267711.tif 000013
【図１２】
2006267711.tif 000014
【図１３】
2006267711.tif 000015